【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
ビデオデータのエンコードされたＫビットワードを送信するように構成されたシリアルリンクを経てＮビットビデオを送信するための送信器において、
少なくとも１つのＮビットモードで動作して、ビデオデータのＮビットワードのシーケンスをフラグメントのシーケンスへとパックすることのできるサブシステムであって、Ｎ≠Ｋで且つ各フラグメントがビデオデータのＫビットより成るようなサブシステムと、
前記サブシステムに結合された回路で、前記シリアルリンクに結合されるよう構成された少なくとも１つの出力を有する回路であって、前記フラグメントのシーケンスにおける各フラグメントをエンコードすることにより、エンコードされたフラグメントのシーケンスを発生すると共に、そのエンコードされたフラグメントのシーケンスを前記少なくとも１つの出力へアサートし、これにより、前記リンクが前記少なくとも１つの出力に結合されたときに前記リンクを経て前記エンコードされたフラグメントを送信できるように構成された回路と、
を備え、
前記エンコードされたフラグメントのシーケンスは、エンコードされたフラグメントのグループのシーケンスであり、前記グループの各々は、ビデオデータのＮビットワードの異なる１つを決定し、前記回路は、前記少なくとも１つの出力に対して順次に前記グループをアサートするように構成されており、ビデオデータのＮビットワードは、単位時間当たりＮビットワードのＰに等しい第１レートでサブシステムへアサートされ、前記回路は、単位時間当たりエンコードされたフラグメントの（Ｎ／Ｋ）Ｐに少なくとも実質的に等しい第２レートで、エンコードされたフラグメントのシーケンスを少なくとも１つの出力にアサートするように構成された送信器。
【請求項２】
前記エンコードされたフラグメントのシーケンスは、Ｍ個のエンコードされたフラグメントのグループのシーケンスであり、但し、Ｍ＝Ｎ／Ｄであり、Ｄは、Ｎ及びＫの大きい方の共通の除数である請求項１に記載の送信器。
【請求項３】
多数の異なる３Ｎビットピクセルモードの選択された１つで動作して、ビデオデータのＮビットカラーコンポーネントのシーケンスをフラグメントのシーケンスへとパックすることのできるサブシステムであって、Ｎ≠０であり、各フラグメントがビデオデータの８ビットより成り、そして３Ｎビットピクセルモードが、３０ビットピクセルモード、３６ビットピクセルモード、及び４８ビットピクセルモードを含むようなサブシステムと、
前記サブシステムに結合された回路で、遷移最小化差動シグナリング（ＴＭＤＳ）リンクに結合されるよう構成された出力を有している回路であって、前記フラグメントのシーケンスに対するＴＭＤＳエンコードを遂行することにより、エンコードされたフラグメントのシーケンスを発生すると共に、そのエンコードされたフラグメントのシーケンスをアクティブなビデオインターバル中に前記出力へアサートし、これにより、前記ＴＭＤＳリンクが前記出力に結合されたときに前記ＴＭＤＳリンクを経て前記エンコードされたフラグメントを送信できるように構成された回路と、
を備えた送信器であって、この送信器は、前記サブシステムが２４ビットピクセルの８ビットコンポーネントを前記回路にアサートする２４ビットピクセルモードで動作でき、前記回路は、前記８ビットコンポーネントの各々に応答して１０ビットのＴＭＤＳコードワードを発生するように前記８ビットコンポーネントに対してＴＭＤＳエンコード動作を遂行し、更に、前記回路は、各々の前記ＴＭＤＳコードワードを前記出力にアサートし、そして
前記フラグメントのシーケンスの各々は、ＭNフラグメントグループのシーケンスであり、ＭNは、整数であって、その値は、３Ｎビットピクセルモードのどれが３Ｎビットピクセルモードの選択された１つであるかに基づき、各グループにおけるフラグメントの各々は、そのグループ内に異なる位相を有し、前記回路は、ブランキングインターバル中にブランキングキャラクタを前記出力にアサートするように構成され、そして前記送信器は、前記グループのうちの単一グループの異なるエンコードされたフラグメントのアサーションとアサーションとの間の境界において、且つ前記グループのうちの異なるグループのアサーションとアサーションとの間に生じる境界と境界との間で、前記エンコードされたフラグメントのシーケンスにおけるいずれのエンコードされたフラグメントのアサーションも省略せずに、アクティブなビデオインターバルとブランキングインターバルとの間の遷移を実行する状態マシンシーケンスを実施するように構成されている送信器。
【請求項４】
シリアルリンクに結合されるように構成された入力を有する回路であって、それら入力の少なくともサブセットへ送信されたビデオデータのＫビットワードを回復するように構成された回路と、
Ｋビットワードのシーケンスを受信するように前記回路に結合され且つ少なくとも１つのＮビットモードで動作できるサブシステムであって、前記Ｋビットワードのシーケンスは、Ｎ≠Ｋとすれば、ＮビットビデオデータワードのシーケンスのパックされたＫビットフラグメントのシーケンスであり、そして前記サブシステムは、各々の前記Ｎビットモードで動作して、前記フラグメントをアンパックし、Ｎビットビデオデータワードのシーケンスを回復させるようなサブシステムと、
を備えた受信器。
【請求項５】
前記Ｋビットフラグメントのシーケンスは、Ｍフラグメントグループのシーケンスであり、各グループにおけるフラグメントの各々は、そのグループ内で異なる位相を有し、前記回路は、アクティブなビデオインターバル中にビデオデータのＫビットワードを回復すると共に、アクティブなビデオインターバルとインターバルとの間の少なくとも幾つかのブランキングインターバル中に前記入力の少なくとも幾つかへ送信されたパッキング位相データを回復するように構成され、このパッキング位相データは、既知のチェックポイントとして送信されたフラグメントの１つの位相を指示し、そして前記回路は、前記パッキング位相データに応答して少なくとも１つの制御ビットを発生すると共に、前記制御ビットを前記サブシステムにアサートして、前記サブシステムを、既知のチェックポイントに送信されたフラグメントの前記１つの位相に対応する状態にセットするように構成された、請求項４に記載の受信器。
【請求項６】
前記回路は、前記シリアルリンクを経て前記入力の少なくとも幾つかへ送信されたビデオデータのＫビットワードを表わすコードワードを回復すると共に、そのコードワードをデコードして、ビデオデータのＫビットワードを回復するように構成された、請求項４に記載の受信器。
【請求項７】
遷移最小化差動シグナリング（ＴＭＤＳ）リンクに結合されるように構成された入力を有する回路であって、前記入力の少なくともサブセットへ送信されたビデオデータの８ビットワードを表わすＴＭＤＳコードワードを回復し、そしてそのコードワードをデコードして、ビデオデータの８ビットワードを回復するように構成された回路と、
８ビットワードのシーケンスを受信するように前記回路に結合され、多数の異なる３Ｎビットピクセルモードの選択された１つで動作でき、Ｎ≠８で、８ビットワードのシーケンスが３Ｎビットピクセルのパックされた８ビットフラグメントのシーケンスであるサブシステムであって、このサブシステムは、各々の前記３Ｎビットピクセルモードで動作し、フラグメントをアンパックして、３Ｎビットピクセルのシーケンスを回復することができ、前記３Ｎビットピクセルモードは、３０ビットピクセルモード、３６ビットピクセルモード及び４８ビットピクセルモードを含むようなサブシステムと、
を備えた受信器において、この受信器は、前記サブシステムにより受信された８ビットワードのシーケンスが２４ビットピクセルのシーケンスである２４ビットピクセルモードでも動作でき、そして
前記回路は、前記ＴＭＤＳリンクを経て前記入力の少なくともサブセットへ送信された周波数Ｌのリンククロックを回復するようにも構成され、更に、前記回路は、そのリンククロックを受信するように結合された周波数分割器であって、各々の前記３Ｎビットピクセルモードで動作して、前記リンククロックに応答して周波数Ｐが（８／Ｎ）Ｌに少なくとも実質的に等しいピクセルクロックを発生できる周波数分割器を備えている受信器。
【請求項８】
送信器と、
受信器と、
前記送信器と受信器との間に結合されたシリアルリンクと、
を備え、前記送信器は、
少なくとも１つのＮビットモードで動作して、ビデオデータのＮビットワードのシーケンスをフラグメントのシーケンスへとパックすることのできるサブシステムであって、Ｎ≠Ｋであり且つ各フラグメントがビデオデータのＫビットより成るようなサブシステムと、
前記サブシステムに結合された回路で、前記シリアルリンクのデータチャンネルに結合されるよう構成された出力を有している回路であって、前記フラグメントをエンコードすることにより、エンコードされたフラグメントのシーケンスを発生すると共に、そのエンコードされたフラグメントのシーケンスを前記出力へアサートして、前記リンクを経て前記受信器へ前記エンコードされたフラグメントを送信するように構成された回路と、
を備え、
前記エンコードされたフラグメントのシーケンスは、エンコードされたフラグメントのグループのシーケンスであり、前記グループの各々は、ビデオデータのＮビットワードの異なる１つを決定し、前記送信器の前記回路は、前記グループを前記出力に対して順次にアサートするように構成されており、ビデオデータのＮビットワードは、単位時間当たりＮビットワードのＰに等しい第１レートで前記サブシステムへアサートされ、前記送信器の前記回路は、単位時間当たり前記エンコードされたフラグメントの（Ｎ／Ｋ）Ｐに少なくとも実質的に等しい第２レートで前記エンコードされたフラグメントのシーケンスを前記出力にアサートするように構成されたシステム。
【請求項９】
前記エンコードされたフラグメントのシーケンスは、Ｍ個のエンコードされたフラグメントのグループのシーケンスであり、但し、Ｍ＝Ｎ／Ｄであり、Ｄは、Ｎ及びＫの大きい方の共通の除数である請求項８に記載のシステム。
【請求項１０】
送信器と、
受信器と、
前記送信器と受信器との間に結合されたシリアルリンクと、
を備え、前記送信器は、
少なくとも１つのＮビットモードで動作して、ビデオデータのＮビットワードのシーケンスをフラグメントのシーケンスへとパックすることのできるサブシステムであって、Ｎ≠Ｋであり且つ各フラグメントがビデオデータのＫビットより成るようなサブシステムと、
前記サブシステムに結合された回路で、前記シリアルリンクのデータチャンネルに結合されるよう構成された出力を有している回路であって、前記フラグメントをエンコードすることにより、エンコードされたフラグメントのシーケンスを発生すると共に、そのエンコードされたフラグメントのシーケンスを前記出力へアサートして、前記リンクを経て前記受信器へ前記エンコードされたフラグメントを送信するように構成された回路と、
を備え、
前記エンコードされたフラグメントのシーケンスは、Ｍ個のエンコードされたフラグメントのグループのシーケンスであり、各グループにおけるＭ個のエンコードされたフラグメントの各々は、そのグループ内で異なる位相を有し、更に、前記送信器は、アクティブなビデオインターバル中に前記エンコードされたフラグメントを前記出力へアサートすると共に、アクティブなビデオインターバルとインターバルとの間の少なくとも幾つかのブランキングインターバル中にパッキング位相データを前記出力の少なくとも１つにアサートするように構成され、更に、ブランキングインターバル中にアサートされる前記パッキング位相データは、前記ブランキングインターバルの前に前記出力にアサートされた前記エンコードされたフラグメントの最後の１つの位相を指示するシステム。